【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
メモリを備えたＩＣカード機能実行部と、前記ＩＣカード機能実行部に対し非接触インターフェース経由で通信可能なカード読み書き装置と、前記ＩＣカード機能実行部と有線インターフェース経由で通信可能な情報処理端末との間で前記ＩＣカード機能実行部を介在させたデータ通信を行なうデータ通信システムであって、
前記カード読み書き装置が前記非接触インターフェース経由で前記ＩＣカード機能実行部内のメモリに対しデータ転送動作し、又は、前記情報処理端末が前記有線インターフェース経由で前記ＩＣカード機能実行部内のメモリに対しデータ転送動作する第１の通信モードと、
前記非接触インターフェース及び前記有線インターフェースで構成される通信路上で前記カード読み書き装置と前記情報処理端末間のデータ転送に前記ＩＣカード機能実行部が介在する第２の通信モードと、
システムを前記第１の通信モード又は前記第２の通信モードに設定する通信モード制御手段と、
各通信モード下での通信動作を制御する通信制御手段と、
を具備することを特徴とするデータ通信システム。
【請求項２】
前記情報処理端末は、前記ＩＣカード機能実行部との前記有線インターフェースを介したデータ転送を許容するデータ転送状態と、前記ＩＣカード機能実行部との前記有線インターフェースを介したデータ転送を許容しないデータ非転送状態を備え、前記第１の通信モード下では前記データ非転送状態にあり、前記第２の通信モード下では前記データ転送状態にある、
ことを特徴とする請求項１に記載のデータ通信システム。
【請求項３】
前記通信モード制御手段は、前記ＩＣカード機能実行部が前記有線インターフェースを介して前記情報処理端末に信号通知し、該通知に応答して前記情報処理端末が前記データ非転送状態から前記データ転送状態に移行してデータ転送開始コマンドを返したことに応答して前記第１の通信モードから前記第２の通信モードに移行させる、
ことを特徴とする請求項２に記載のデータ通信システム。
【請求項４】
前記通信モード制御手段は、前記カード読み書き装置が前記情報処理端末とデータ転送を行なうことを要求するデータ転送要求コマンドを前記非接触インターフェース上で発行したことに応答して、前記第１の通信モードから前記第２の通信モードに移行させる動作を起動する、
ことを特徴とする請求項３に記載のデータ通信システム。
【請求項５】
前記通信モード制御手段は、前記ＩＣカード機能実行部が前記有線インターフェースを介して前記情報処理端末にデータ転送終了コマンドを送信し、該コマンドに応答して前記情報処理端末が前記データ転送状態から前記データ非転送状態に移行したことに応答して前記第２の通信モードから前記第１の通信モードに移行させる、
ことを特徴とする請求項２に記載のデータ通信システム。
【請求項６】
前記通信モード制御手段は、前記カード読み書き装置が前記情報処理端末とのデータ転送を終了するデータ転送終了コマンドを前記非接触インターフェース上で発行したことに応答して、前記第２の通信モードから前記第１の通信モードに移行させる動作を起動する、
ことを特徴とする請求項５に記載のデータ通信システム。
【請求項７】
前記通信制御手段は、前記第２の通信モード下では、前記カード読み書き装置からの前記非接触インターフェースを介した転送データを、前記ＩＣカード機能実行部の前記有線インターフェース経由で前記情報処理端末に転送する第１のデータ転送、又は、前記情報処理端末からの前記有線インターフェースを介した転送データを、前記ＩＣカード機能実行部の前記非接触インターフェース経由で前記カード読み書き装置に転送する第２のデータ転送を制御する、
ことを特徴とする請求項１に記載のデータ通信システム。
【請求項８】
前記カード読み書き装置は前記情報処理端末に対するデータ転送を要求するときにセッション番号を生成し、前記ＩＣカード機能実行部にて該セッション番号を記憶し、
前記通信制御手段は、前記第２の通信モード下で、転送データに付されているセッション番号が前記ＩＣカード機能実行部に記憶されているセッション番号と一致する場合に前記第１又は第２のデータ転送を実行する、
ことを特徴とする請求項７に記載のデータ通信システム。
【請求項９】
前記通信制御手段は、前記ＩＣカード機能実行部に対し、前記非接触インターフェースを介した受信コマンドに対しレスポンス動作を行なわせるが、前記有線インターフェースを介した受信コマンドに対しレスポンス動作を行なわせない、
ことを特徴とする請求項１に記載のデータ通信システム。
【請求項１０】
メモリと、
カード読み書き装置と通信可能な非接触インターフェースと、
情報処理端末と有線接続する有線インターフェースと、
前記メモリに対するアクセス動作、及び前記非接触インターフェース及び前記有線インターフェースを介した通信動作を制御する制御手段を備え、
前記制御手段は、前記カード読み書き装置及び前記情報処理端末との間で設定された通信モードを管理し、現在の通信モードに応じて、前記カード読み書き装置及び前記情報処理端末間での通信路の動作を制御する、
ことを特徴とするＩＣカード機能を実行するデバイス。
【請求項１１】
１チップ半導体集積回路で構成される、
ことを特徴とする請求項１０に記載のＩＣカード機能を実行するデバイス。
【請求項１２】
ＲＦアナログ・フロントエンドとロジック回路を分離した２チップの半導体集積回路で構成される、
ことを特徴とする請求項１０に記載のＩＣカード機能を実行するデバイス。
【請求項１３】
前記制御手段は、外部イベントの発生に応答して第１の通信モード又は第２の通信モードに設定し、
前記第１の通信モード下では、前記カード読み書き装置からの前記非接触インターフェースを介した前記メモリへのアクセス動作、又は、前記情報処理端末からの前記有線インターフェースを介した前記メモリへのアクセス動作を制御し、
前記第２の通信モード下では、前記非接触インターフェース及び前記有線インターフェースで構成される通信路上で前記カード読み書き装置と前記情報処理端末間のデータ転送に介在する、
ことを特徴とする請求項１０に記載のＩＣカード機能を実行するデバイス。
【請求項１４】
前記情報処理端末は、前記ＩＣカード機能を実行するデバイスとの前記有線インターフェースを介したデータ転送を許容するデータ転送状態と、前記ＩＣカード機能を実行するデバイスとの前記有線インターフェースを介したデータ転送を許容しないデータ非転送状態を備え、
前記制御手段は、前記有線インターフェースを介して前記情報処理端末に信号通知し、該通知に応答して前記情報処理端末が前記データ非転送状態から前記データ転送状態に移行してデータ転送開始コマンドを返したことに応答して前記第１の通信モードから前記第２の通信モードに移行させる、
ことを特徴とする請求項１３に記載のＩＣカード機能を実行するデバイス。
【請求項１５】
前記制御手段は、前記カード読み書き装置が前記情報処理端末とデータ転送を行なうことを要求するデータ転送要求コマンドを前記非接触インターフェースで受信したしたことに応答して、前記第１の通信モードから前記第２の通信モードに移行させる動作を起動する、
ことを特徴とする請求項１４に記載のＩＣカード機能を実行するデバイス。
【請求項１６】
前記制御手段は、前記有線インターフェースを介して前記情報処理端末にデータ転送終了コマンドを送信し、該コマンドに応答して前記情報処理端末が前記データ転送状態から前記データ非転送状態に移行したことに応答して前記第２の通信モードから前記第１の通信モードに移行させる、
ことを特徴とする請求項１５に記載のＩＣカード機能を実行するデバイス。
【請求項１７】
前記制御手段は、前記カード読み書き装置が前記情報処理端末とのデータ転送を終了するデータ転送終了コマンドを前記非接触インターフェース経由で受信したことに応答して、前記第２の通信モードから前記第１の通信モードに移行させる動作を起動する、
ことを特徴とする請求項１６に記載のＩＣカード機能を実行するデバイス。
【請求項１８】
前記制御手段は、前記第２の通信モード下では、前記カード読み書き装置からの前記非接触インターフェースを介した転送データを前記ＩＣカード機能を実行するデバイスの前記有線インターフェース経由で前記情報処理端末に転送する第１のデータ転送、又は、前記情報処理端末からの前記有線インターフェースを介した転送データを前記ＩＣカード機能を実行するデバイスの前記非接触インターフェース経由で前記カード読み書き装置に転送する第２のデータ転送を制御する、
ことを特徴とする請求項１３に記載のＩＣカード機能を実行するデバイス。
【請求項１９】
前記カード読み書き装置は前記情報処理端末に対するデータ転送を要求するときにセッション番号を生成し、
前記制御手段は、前記第２の通信モードに移行する際に該セッション番号を記憶しておき、転送データに付されているセッション番号が前記ＩＣカード機能を実行するデバイスに記憶されているセッション番号と一致する場合に前記第１又は第２のデータ転送を実行する、
ことを特徴とする請求項１８に記載のＩＣカード機能を実行するデバイス。
【請求項２０】
メモリと、カード読み書き装置と通信可能な非接触インターフェースと、情報処理端末と有線接続する有線インターフェースとを備えたＩＣカード機能を実行するデバイスにおける前記メモリに対するアクセス動作、及び前記非接触インターフェース及び前記有線インターフェースを介した通信動作を制御するＩＣカード機能を実行するデバイスの制御方法であって、
前記カード読み書き装置及び前記情報処理端末との間で設定された通信モードを管理する通信モード管理ステップと、
現在の通信モードに応じて、前記カード読み書き装置及び前記情報処理端末間での通信路の動作を制御する通信動作制御ステップと、
を具備することを特徴とするＩＣカード機能を実行するデバイスの制御方法。
【請求項２１】
非接触インターフェース、メモリ、及び有線インターフェースを備えたＩＣカード機能実行部と、
ユーザ入出力手段と、
前記有線インターフェースを介したＩＣカード機能実行部との通信動作、及び前記ユーザ入出力手段を介したユーザ・インタラクションに応じた処理動作を制御するプログラム制御手段を備え、
前記プログラム制御手段は、前記ＩＣカード機能実行部との前記有線インターフェースを介したデータ転送を許容するデータ転送状態と、前記ＩＣカード機能実行部との前記有線インターフェースを介したデータ転送を許容しないデータ非転送状態を備える、
ことを特徴とする情報処理端末。
【請求項２２】
前記プログラム制御手段は、
前記ＩＣカード機能実行部からの前記有線インターフェースを介した信号通知に応じて前記データ非転送状態から前記データ転送状態に移行するとともに前記有線インターフェース経由でデータ転送開始コマンドを返し、
前記データ転送状態のときに、前記ＩＣカード機能実行部から前記有線インターフェース経由で前記情報処理端末からデータ転送終了コマンドを受信したことに応答して前記データ非転送状態に移行する、
ことを特徴とする請求項２１に記載の情報処理端末。
【請求項２３】
前記プログラム制御手段は、前記データ転送状態のときに、前記ＩＣカード機能実行部からの転送データを前記有線インターフェース経由で受信し、又は、前記ＩＣカード機能実行部の前記非接触インターフェース経由でさらに外部の装置に転送させたいデータを前記有線インターフェース経由で送信する、
ことを特徴とする請求項２１に記載の情報処理端末。